(57)【要約】【課題】ディスク保持円板とクランパの間に挟み込まれた状態で保持されたディスクに対し、挟み込み状態を解除するときに、ディスクがクランパに貼り付き状態になって残留することがなく確実に離脱させることができるディスクチャッキング装置を提供する。【解決手段】ディスク装着部２に設けられたディスク保持円板３に載置されたディスクＤは、クランパ９によって挟持されている。アンチャッキング動作が開始されると、先ず、ドア部１０が第２支軸７を芯にして回転され、クランパ９が上方に移動され、この動作に遅れてクランプホルダ板１３がドア部１０の移動速度より遅い速度で回転される。このためにディスク離脱板１６に設けられたディスク離脱用当接片１６ｃでディスクＤが押され、貼り付きディスクが強制的に離脱される。この動作は、開閉制御用歯車１５によって駆動制御される。【選択図】      図５
2004362690.tif 000002
【特許請求の範囲】
【請求項１】
情報を再生、及び／または記録し得るディスクの回転中心部に形成された取付孔部を、ディスク保持円板とクランパを対向配置した保持準備位置に駆動し、該ディスク保持円板と該クランパの離隔距離を近づける方向に駆動した保持位置で該ディスクを保持するディスク保持駆動手段と、
前記保持位置にされた前記ディスク保持円板と前記クランパを互いに離隔する方向に駆動した離脱位置に駆動するディスク離脱駆動手段と、
前記ディスク離脱駆動手段によって前記クランパが前記離脱位置まで駆動されるときに、前記ディスクを前記クランパから離脱させるディスク引離し手段とを具備することを特徴とするディスクチャッキング装置。
【請求項２】
前記ディスク引離し手段は、前記ディスク離脱駆動手段によって前記ディスク保持円板または前記クランパが前記離脱位置まで駆動されたときに、前記ディスクの端面を前記ディスク保持円板の方向に押圧する解除部材を含んで構成することを特徴とする請求項１に記載のディスクチャッキング装置。
【請求項３】
前記ディスク引離し手段は、前記ディスク離脱駆動手段によって前記ディスク保持円板または前記クランパが前記離脱位置まで駆動されたときに、前記ディスクの端面を前記クランパから離脱する方向に押圧する解除部材を含んで構成することを特徴とする請求項１に記載のディスクチャッキング装置。
【請求項４】
前記ディスク保持駆動手段は、前記ディスク保持円板を磁気吸引材で構成し、前記クランパにマグネットを固定して構成することを特徴とする請求項１に記載のディスクチャッキング装置。
【請求項５】
前記ディスク保持駆動手段は、前記クランパを磁気吸引材で構成し、前記ディスク保持円板にマグネットを固定して構成することを特徴とする請求項１請求項１に記載のディスクチャッキング装置。
【請求項６】
前記ディスク保持駆動手段は、前記ディスク保持円板と前記クランパのそれぞれにマグネットを両者が吸引する磁極方向に固定して構成することを特徴とする請求項１に記載のディスクチャッキング装置。
【請求項７】
前記ディスク保持駆動手段は、一辺部を支持状態として開閉し得るように支承されたドア部の開動作に連動して前記クランパを前記ディスク保持円板から離隔する方向に駆動させ、該ドア部の閉動作に連動して前記クランパを前記ディスク保持円板に当接する方向に移動させるドア駆動部を含んで構成することを特徴とする請求項１に載のディスクチャッキング装置。
【請求項８】
前記ディスク保持駆動手段は、前記ディスク保持円板が回転自在に支持された第１機構部と、前記クランパが支持された第２機構部と、前記ディスクを取り出し得る排出位置と前記ディスク保持円板の上部に位置する挿入位置との間を移動し得るディスクトレーとを含む駆動機構部を有して構成することを特徴とする請求項１に記載のディスクチャッキング装置。
【請求項９】
前記駆動機構部は、前記第１機構部に設けられたカム板と前記第２機構部に設けられたカムピンを係合させたカム機構で構成することを特徴とする請求項８に記載のディスクチャッキング装置。
【請求項１０】
前記駆動機構部は、前記第２機構部に設けられたカム板と前記第１機構部に設けられたカムピンを係合させたカム機構で構成することを特徴とする請求項８に記載のディスクチャッキング装置。
【発明の詳細な説明】
【０００１】
【発明の属する技術分野】
本発明は、画像や音声等々のデータを記録及び／または再生するためのディスクを回転駆動軸に対して装着したり離脱させるためのディスクチャッキング装置に関する。
【０００２】
【従来の技術】
一般に、再生専用または記録再生両用のＣＤやＤＶＤ等々のディスクを用いて情報再生や記録を行う場合には、ディスクの中央部に形成されている取付孔部の軸心（ディスクの回転中心）を回転駆動部の軸心に正確に一致させた状態で所定の回転を与える機能が必要とされる。
【０００３】
このような機能を有する従来のディスクチャッキング装置の具体例を、略正方形のドアの一辺を回動自在に支持し、その支持軸を回動中心にして所定のアオリ角度だけドアを開いたり閉じたりできるようにした形式のディスクチャッキング装置を用いたディスクプレーヤの場合を例にして説明する。
【０００４】
ディスクプレーヤは、図１７に示す分解斜視図のように、ディスクプレーヤ本体１には、種々の振動を緩衝するための複数個の緩衝部５を用いてディスク装着部２がフローティング支持されている。
【０００５】
ディスク装着部２には、スピンドルモータの出力軸に結合されたディスク保持円板３が、装着ディスクの中心に形成された取付孔部に位置決め状態で載置され得るように配設され、このディスク保持円板３の側方には光学ヘッド部４が配置され、この光学ヘッド部４から発せられるレーザ光ビームをディスクの情報記録面に照射して適宜の光信号処理を行うことによって再生信号を得ることができる。
【０００６】
このレーザ光ビームは、光学ヘッド部４に内蔵されるフォーカスアクチュエータ（例えばボイスコイル形式のフォーカスコイル）に供給されるフォーカス制御信号によって適正な焦点状態に制御されると共に、トラッキングアクチュエータ（例えばボイスコイル形式のトラッキングコイル）に供給されるトラッキング制御信号によって小規模のトラッキング駆動、即ち、ディスクトラックに光ビームを正確に追従させたり、数本ないし数百本のトラックジャンプを光ビーム駆動によって行わせることができる。
【０００７】
また、光学ヘッド部４の全体は、装着されるディスクの径方向（両方向矢印ａ）に摺動自在となるように支持され、スレッドモータの回転が複数の減速ギアを介して光学ヘッド部４に与えられることによってその全体を両方向矢印ａの方向に大規模トラッキング駆動を行うことができ、この大規模トラッキングの動作と前述の小規模トラッキングの動作が協働して行われることによって光ビームを適正にトラッキング方向に駆動させることができる。
【０００８】
ディスクプレーヤ本体１における、ディスク装着部２の側方に位置する部位には、Ｌ字状に折り曲げ形成された部材に固定された第１支軸６が固定され、この第１支軸６の延長線上に第２支軸７が固定されている
【０００９】
一方、ディスクプレーヤ本体１に対して一辺部を回動支持軸として開閉駆動できるドア部１０を有し、このドア部１０をディスク装着位置（ドア部１０の板面を水平にした位置）とディスク離脱装置（ドア部１０の一辺を片持ち支持状態として開いた位置）の間を開閉駆動させることができ、このドア部１０には、その一辺部の両端のそれぞれに第１起立部１１と第２起立部１２が形成され、第１起立部１１には、ディスクプレーヤ本体１に固定された第１支軸６に嵌合する第１支承部１１ａが穿設され、第２起立部１２には、ディスクプレーヤ本体１に固定された第２支軸７に嵌合する第２支承部１２ａが穿設されている。
【００１０】
第２支軸７の近傍に第３支軸８が設けられ、その軸心が第２支軸７の軸心に対して所定距離だけ隔てて並行した部位に位置され、該第３支軸８には大径歯車１４ａと小径歯車１４ｂを同心上に有する開閉駆動歯車１４が回転自在に支持され、大径歯車１４ａがドア開閉駆動用の出力歯車（不図示）に噛合され、小径歯車１４ｂがドア部１０の部分歯面１２ｂに噛合され、当該の出力歯車（不図示）が回転駆動されることによって、ドア部１０が第１支承部１１ａと第２支承部１２ａを結んだ軸線で支持された状態で開動作と閉動作させることができる。
【００１１】
ドア部１０の一辺部の内側壁には、中央寄りに延出するクランプホルダ板１３が形成されその先端部に開口１３ａが穿設され、この開口１３ａにはマグネット９ａが固定されたクランパ９の係止爪部９ｂが係合され、ディスク装着時には、ディスク保持円板３と一体になって回転する係止爪部９ｂが開口１３ａ内で開口壁に接触することなく回転させることができ、ディスク離脱時には係止爪部９ｂの先端が開口１３ａの周囲に当接されることによる抜け止め機能が持たされている。
【００１２】
従ってディスクＤをディスク装着部２のディスク保持円板３に取付けて所定の再生動作を行わせる場合には、図１８に示すように第３支軸８によって回転支持される小径歯車１４ｂの回転によって部分歯面１２ｂが第２支軸７を芯にして回転駆動されドア部１０の全体が一辺支持状態で開かれた状態の保持準備位置にされている状態でディスクＤの中心に形成されている取付孔部を、ディスク保持円板３の案内用傾斜部３ｂによって芯出しされた状態で平面部３ａの上に載せる。
【００１３】
しかる後、ドア開閉駆動用のモータ（不図示）を閉駆動方向に回転させることによって小径歯車１４ｂが回転されると部分歯面１２ｂが移動され、ドア部１０が第２支軸７と第１支軸６を軸心として閉じられる方向に駆動開始される。
【００１４】
この駆動が更に続けられると、クランプホルダ板１３によって抜け止め係止されているクランパ９がディスクＤの取付孔部に押し当てられ、このときにマグネット９ａがディスク保持円板３に吸着されるときの磁気吸着力でもってディスクＤの取付孔部が位置決めされた状態で平面部３ａに密接した状態となり図１９に示すようにディスク装着が完了する。
【００１５】
この装着完了状態においては、ディスクＤ上のクランパ９の平面部はクランプホルダ板１３の下面には全く接しておらず、また係止爪部９ｂの周面もクランプホルダ板１３の開口１３ａの部分で全く接していないのでドア部１０には全く接することなく、クランプホルダ板１３から完全に離れた状態（逃げた状態）でディスクＤを回転させることができる。
【００１６】
このような状態でディスク保持円板３に所定の回転を与え、光学ヘッド部４の光ビームに対してフォーカス駆動と小規模トラッキング駆動を行ったり、光学ヘッド部４の全体を大規模トラッキング駆動することによってディスクＤ上の所望のトラック位置における再生を行うことができる。
【００１７】
そして、再生が完了し、ディスクＤをディスクプレーヤ本体１の外部に取り出すときには、図１９に示す状態において、ドア開閉駆動用のモータ（不図示）を開駆動方向に回転させることによって小径歯車１４ｂが回転されるに伴って部分歯面１２ｂが移動され、ドア部１０が第２支軸７と第１支軸６を軸心としてドア部１０を開く方向に跳ね上げられる。
【００１８】
この動作に伴って、クランプホルダ板１３の開口１３ａの上縁部で係止爪部９ｂの先端部が引上げられることによってクランパ９の全体が、マグネット９ａとディスク保持円板３による磁気吸着力に抗して引き上げられ図１８に示すような装着待機状態に戻すことができ、ディスクＤの取付孔部がディスク保持円板３の平面部３ａに載置された状態にされるので、ディスクＤを手動で取り出すことができる。
【００１９】
今まで説明したディスクのチャッキング装置が設けられた近年のディスク再生装置においては、装着ディスクを再生して得られる音声信号を増幅してスピーカで放音するときに、音量ボリュームの大きなときにスピーカ放音される音波が装置筺体に当たったりディスクに直接に当たったり、もしくは光信号の読取りのための関連部位に当たってディスク自身に振動を与え光信号読取りが正規に行えなくなってしまう場合が考えられる。
【００２０】
この場合、ディスクから読み取られる信号が異常なものとなってしまい、その結果として再生音声が途切れたり誤読取りによる大きな雑音を発生させる虞があるため、ディスクと接触するクランパの接触面に微小板厚を有する不織布等の緩衝シートを貼り付けてディスク自身に不要な振動を発生させ難くする構成を採用する場合が多い。
【００２１】
クランパにおいてディスクとの接触面に不織布シートを貼り付けることは、ディスクが回転されるときの振動に対応するディスク固有共振によって、光ビームのフォーカスまたはトラッキングの制御可能範囲を超えてしまうことを防止するためにディスク固有共振の周波数を低減する趣旨で行われる場合もある。
【００２２】
【発明が解決しようとする課題】
従来のディスクチャッキング装置は、クランパに緩衝シートが貼り付けられている場合には、ディスクをディスク保持円板とクランパの間に挟み込んだ保持位置で長時間に亘って放置しておくと、環境温度によっては緩衝シートの有する粘着層の糊成分がディスクの表面、即ち、ディスクのチャッキング領域もしくはディスクレーベル面に移行してしまい、ディスクがクランパに貼り付いてしまう虞があり、この場合には、正規のチャッキング動作を行うことができず、ディスク損傷を発生させたり、構成部材を損傷させたり、機器内部に装着されたディスクの外部取り出しを行えなくなってしまう虞がある。
【００２３】
また、ディスクからクランパ側に糊成分が移行することに起因してディスク貼り付きが生じてしまう虞がある。
【００２４】
即ち、大掛かりなレーベル印刷機器を用いてディスクを大量生産するという従前の印刷手段を用いることなく、個人ユーザーが簡単にディスク記録を行うことができるＣＤ−Ｒ、ＣＤ−ＲＷ、ＤＶＤ−Ｒ、ＤＶＤ−ＲＷ等々の情報記録可能なディスクが普及していて、この場合には、ユーザーの側で所有する簡易型のプリンタを用いて簡単に印刷されたレーベルシートをディスクのレーベル面に貼り付けて用いられることが多く、この場合のレーベルシートは印刷ののりを良好にするために、べとつき気味のバインダーが塗布されている場合が多い。
【００２５】
このために、ディスクをディスク保持円板とクランパの間に挟み込んだ保持位置で長時間に亘って放置しておくと、環境温度によってはレーベルシートの有する粘着層の糊成分や印刷面に塗布されたバインダーの成分がクランパの表面に移行してしまい、当該クランパにディスクが貼り付いてしまう虞があり、この場合には、正規のチャッキング動作を行うことができず、ディスク損傷を発生させたり、構成部材を損傷させたり、機器内部に装着されたディスクの外部取り出しを行えなくなってしまう。
【００２６】
さらに、クランパと接触するディスクのクランプエリア（ディスクのレーベル面の取付孔部の近傍）の面には、シート等の部材が貼られることが通常は無いが、ソフトレンタル店等において普及しているディスクの場合には、クランプエリアまで入り込んだ部位に商品管理用のインデックスラベルが貼られることがあり、その場合には当該ラベルの粘着層の糊成分がクランパの表面に移行してしまい、ディスクがクランパに貼り付いてしまう虞があり、この場合には、正規のチャッキング動作を行うことができず、ディスク損傷を発生させたり、構成部材を損傷させたり、機器内部に装着されたディスクの外部取り出しを行えなくなってしまう。
【００２７】
そこで、本発明の目的は、ディスク保持円板とクランパの間に挟み込まれた状態で保持されたディスクに対し、挟み込み状態を解除するときに、ディスクがクランパに貼り付き状態になって残留することがなく確実に離脱させることができるディスクチャッキング装置を提供することにある。
【００２８】
【課題を解決するための手段】
前記課題を解決するために、本発明によるディスクチャッキング装置は、次に記載するような特徴的な構成を採用している。
【００２９】
（１）情報を再生、及び／または記録し得るディスクの回転中心部に形成された取付孔部を、ディスク保持円板とクランパを対向配置した保持準備位置に駆動し、該ディスク保持円板と該クランパの離隔距離を近づける方向に駆動した保持位置で該ディスクを保持するディスク保持駆動手段と、
前記保持位置にされた前記ディスク保持円板と前記クランパを互いに離隔する方向に駆動した離脱位置に駆動するディスク離脱駆動手段と、
前記ディスク離脱駆動手段によって前記クランパが前記離脱位置まで駆動されるときに、前記ディスクを前記クランパから離脱させるディスク引離し手段とを具備するディスクチャッキング装置。
【００３０】
（２）前記ディスク引離し手段は、前記ディスク離脱駆動手段によって前記ディスク保持円板または前記クランパが前記離脱位置まで駆動されたときに、前記ディスクの端面を前記ディスク保持円板の方向に押圧する解除部材を含んで構成する上記（１）のディスクチャッキング装置。
【００３１】
（３）前記ディスク引離し手段は、前記ディスク離脱駆動手段によって前記ディスク保持円板または前記クランパが前記離脱位置まで駆動されたときに、前記ディスクの端面を前記クランパから離脱する方向に押圧する解除部材を含んで構成する上記（１）のディスクチャッキング装置。
【００３２】
（４）前記ディスク保持駆動手段は、前記ディスク保持円板を磁気吸引材で構成し、前記クランパにマグネットを固定して構成する上記（１）のディスクチャッキング装置。
【００３３】
（５）前記ディスク保持駆動手段は、前記クランパを磁気吸引材で構成し、前記ディスク保持円板にマグネットを固定して構成する上記（１）のディスクチャッキング装置。
【００３４】
（６）前記ディスク保持駆動手段は、前記ディスク保持円板と前記クランパのそれぞれにマグネットを両者が吸引する磁極方向に固定して構成する上記（１）のディスクチャッキング装置。
【００３５】
（７）前記ディスク保持駆動手段は、一辺部を支持状態として開閉し得るように支承されたドア部の開動作に連動して前記クランパを前記ディスク保持円板から離隔する方向に駆動させ、該ドア部の閉動作に連動して前記クランパを前記ディスク保持円板に当接する方向に移動させるドア駆動部を含んで構成する上記（１）のディスクチャッキング装置。
【００３６】
（８）前記ディスク保持駆動手段は、前記ディスク保持円板が回転自在に支持された第１機構部と、前記クランパが支持された第２機構部と、前記ディスクを取り出し得る排出位置と前記ディスク保持円板の上部に位置する挿入位置との間を移動し得るディスクトレーとを含む駆動機構部を有して構成する上記（１）のディスクチャッキング装置。
【００３７】
（９）前記駆動機構部は、前記第１機構部に設けられたカム板と前記第２機構部に設けられたカムピンを係合させたカム機構で構成する上記（８）のディスクチャッキング装置。
【００３８】
（１０）前記駆動機構部は、前記第２機構部に設けられたカム板と前記第１機構部に設けられたカムピンを係合させたカム機構で構成する上記（８）のディスクチャッキング装置。
【００３９】
【発明の実施の形態】
以下、本発明の実施の形態について図１乃至図１６を用いて詳細に説明する。先ず、第１の実施の形態について図１乃至図７を用いて説明する。なお、本実施の形態は、ドア開閉式でディスクの着脱を行う形式のディスクプレーヤに、本発明によるディスクチャッキング装置を採用した例である。
【００４０】
図１は、本実施の形態のディスクプレーヤのドア部の構造を主として示す分解斜視図であり、図１に示すドア部１０が取付けられるディスクプレーヤの要部が図２の分解斜視図に示されている。
【００４１】
ディスクプレーヤ本体１には、複数個の緩衝部材５を介してディスク装着部２がフローティング支持され、ディスクプレーヤ本体１に生じる振動でディスク装着部２における各部動作に悪影響が与えられることを低減し、これと同時にディスク装着部２で発生するモータ等の振動がディスクプレーヤ本体１に伝達されてディスクプレーヤ本体１に悪影響を与えることを低減している。
【００４２】
ディスク装着部２には、スピンドルモータの出力軸に結合されたディスク保持円板３が支持され、該ディスク保持円板３が装着ディスクの中心に形成された取付孔部に位置決めされた状態で挟持され得るように配置されている。
【００４３】
ディスク保持円板３の側方には光学ヘッド部４が配置され、この光学ヘッド部４の全体は、ディスク装着部２に固定された摺動保持軸４ａをガイドにしてディスク径方向に移動自在に支持され、該光学ヘッド部４と一体の直線状の歯面４ｂが形成されている。
【００４４】
この歯面４ｂには、ディスク装着部２に立設された軸に回転自在に支持された小径の駆動歯車４ｇが噛合され、この駆動歯車４ｇには、大径歯車４ｆが一体に固定され、該大径歯車４ｆには、スレッドモータ出力歯車４ｃの回転を順次に大径歯車４ｄ、小径歯車４ｅ及び大径歯車４ｆと伝達されることによって減速された回転が与えられる。
【００４５】
従って、スレッドモータ出力歯車４ｃを回転させることによって光学ヘッド部４の全体を摺動保持軸４ａにガイドされた状態でディスクの径方向に移動、即ち、光学ヘッド部４の読取りレンズ４ｈから発せられるレーザ光ビームを大規模にトラッキング駆動を行うことができる。
【００４６】
このレーザ光ビームは、光学ヘッド部４に内蔵されるフォーカスアクチュエータ（例えばボイスコイル形式のフォーカスコイル）に供給される制御信号によって適正な焦点状態に制御されると共に、トラッキングアクチュエータ（例えばボイスコイル形式のトラッキングコイル）に供給される制御信号によって小規模のトラッキング駆動、即ち、ディスクトラックに光ビームを正確に追従させたり、数十ないし数百本のトラックジャンプを行わせることができ、この小規模トラッキングの動作と前述の光学ヘッド部４の全体駆動による大規模のトラッキング動作が協働して行われることによって光ビームが適正に駆動される。
【００４７】
ディスクプレーヤ本体１のディスク装着部２の側方に位置する部位には、第１支軸６が固定、即ち、Ｌ字状に折り曲げ形成された起立部６ａに第１支軸６が固定され、起立部６６６ａに連接する基部に取付穴６ｂが穿設され、その側方に位置決め穴６ｃが穿設され、ディスクプレーヤ本体１に突出形成された位置決め突起１ｂと位置決め穴６ｃを合致させた状態で取付けネジ６ｄを取付穴６ｂに挿入してディスクプレーヤ本体１に形成されたメネジ１ａに捩じ込むことによって第１支軸６がディスクプレーヤ本体１と一体化される。
【００４８】
この第１支軸６の延長軸線上に第２支軸７が位置され、軸心ｃ上にドア部１０に形成された第２起立部１２の第２支承部１２ａが嵌合されてドア部１０を閉じた水平なディスク格納位置と該ドア部１０を開いたディスク取り出し位置の間を移動（開閉）させることができる。
【００４９】
ドア部１０の第１支承部１１ａと第２支承部１２ａの間には、ディスク離脱板１６が同軸状態で支持され、第１支承部１１ａに挿通される第１支軸６が、ディスク離脱板１６の起立片に穿設された中心穴１６ａに嵌合され、第２支承部１２ａに挿通される第２支軸７がディスク離脱板１６の起立部に穿設された中心穴１６ｂに嵌合される。
【００５０】
第３支軸８には、中心軸線ｄに一致して開閉制御用歯車１５が回転自在に支持されている。
【００５１】
ディスクプレーヤ本体１に対して一辺部を第１支軸６と第２支軸７で結ばれる軸心を回動支持軸として、ディスク装着位置（水平位置）とディスク離脱位置の間を開閉駆動させ得るドア部１０を有している。
【００５２】
ドア部１０は、その一辺部の端部に第１起立部１１と第２起立部１２が形成され、第１支軸６が中心軸線ｂを介して嵌合する第１支承部１１ａが穿設され、第２起立部１２にも中心軸線ｃを介して嵌合する第２支承部１２ａが穿設され、この第２起立部１２には第２支承部１２ａの外方に約９０度の角度範囲に亘って部分歯面１２ｂが形成されている。
【００５３】
ドア部１０の一辺部の内側壁には、中央寄りに延出するクランプホルダ板１３が形成されその先端部に円形の開口１３ａが穿設され、この開口１３ａにはマグネット９ａが固定されたクランパ９の係止爪部９ｂが係合され、ディスク装着時には、ディスク保持円板３と一体になって回転する係止爪部９ｂが開口１３ａ内で開口壁に接触することなく回転され、ディスク離脱時には係止爪部９ｂの先端が開口１３ａの周囲に当接するために抜け止め機能を有している。
【００５４】
第１起立部１１と第２起立部１２の内方にはディスク離脱板１６が配設され、このディスク離脱板１６は、板材を折り曲げ形成して作られ、Ｕ字形状の基底部に第１起立片１６ａと第２起立片１６ｂが折り曲げ形成され、第１起立片１６ａには第１支軸６に嵌合する孔が穿設され、第２起立片１６ｂには第２支軸７に嵌合する孔が穿設されている。
【００５５】
中心軸線ｂと中心軸線ｃに合致する軸線によって支持されるディスク離脱板１６は、Ｕ字状の板材の基部の両側のそれぞれに起立片が形成され、一方の起立片に中心穴１６ａが穿設され、他方の起立片に中心穴１６ｂが穿設され、その延長上に形成されるアーム部に外方に突出して植設されたレバー軸１６ｅが固定され、中心穴１６ｂの外方には同心上に位置する歯車１６ｄが固定されている。
【００５６】
Ｕ字状のディスク離脱板１６の開放端のそれぞれには、ディスクに接触したときにディスク損傷を与えないような弾力と硬度を有する材質で形成されたディスク離脱用当接片１６ｃが固定されている。
【００５７】
第３支軸８に回転自在に嵌合する開閉制御用歯車１５は、ドア駆動部によって回転駆動され、このドア駆動部の詳細は、ドア開閉用モータ８ａの出力軸に固定された小径プーリ８ｂに掛けられたベルト８ｃが、ディスクプレーヤ本体１に固定された支軸に回動自在な    大径プーリ８ｄにかけ渡され、この大径プーリ８ｄに小径歯車８ｅが連結されている。
【００５８】
小径歯車８ｅは、ディスクプレーヤ本体１に固定された支軸に回転自在な大径歯車８ｆに噛合され、該大径歯車８ｆに小径歯車８ｇが連結され、その回転が開閉制御用歯車１５の外周に形成された細幅歯面１５Ｃ１と太幅歯面１５Ｃ２に噛合されている。
【００５９】
ドア部１０を電動式で開閉駆動するためのドア駆動部は、その電動開閉駆動源であるドア開閉用モータ８ａを有し、その出力軸に小径プーリ８ｂが固定され、該小径プーリ８ｂの回転がベルト８ｃを介して大径プーリ８ｄに伝達され、それに固定された小径歯車８ｅが回転し、該小径歯車８ｅの回転が大径歯車８ｆに与えられ、これと一体に回転する小径歯車８ｇとの回転が開閉制御用歯車１５に与えられるように構成される。
【００６０】
従って、ドア開閉用モータ８ａを逆回転駆動すると、その回転が小径プーリ８ｂと大径プーリ８ｄによる減速段と、小径歯車８ｅと大径歯車８ｆによる減速段との２段に亘る減速が行われ、小歯車８ｊの回転が被駆動歯車１２ａに与えられ、ドア部１０が第１支軸７と第２支軸９を中心にして閉じる方向に駆動され、クランプホルダ板１３によって係止されているクランパ１４がディスクＤの中心孔部位に押し当てられマグネット１５がディスク支持部３に吸着されるときの力でもってディスクＤの中心孔がディスク支持部３の斜面部に沿って押し下げられ中心位置決めがされた状態で平面部にディスクＤが挟み込まれた状態でチャッキングされる。
【００６１】
このような状態でディスク支持部３を回転させ光学ヘッド部４の全体を駆動したり読取りレンズ４ｈから発せられる光ビームを駆動することによってディスクＤの情報読取りを行うことができる。
【００６２】
次に、ディスクプレーヤ本体１に緩衝部材５を介して支持されたディスク装着部２のディスク保持円板３とクランパ９の間に図３に示すように挟持されたディスクＤに対して所定の再生の後にディスク取り出しを行う動作について説明する。
【００６３】
ドア部１０が完全に閉じられた状態は、図３に示すように開閉制御用歯車１５の有する部分歯面１５ｂが、第２起立部１２に一体の部分歯面１２ｂと常時に噛合されていて、ディスク離脱板１６と一体の歯車１６ｄと開閉制御用歯車１５の細幅歯面１５Ｃ１の噛合は外れた状態にある。
【００６４】
この状態ではディスク離脱板１６による規制が無いのでディスク離脱板１６のレバー軸１６ｅが開閉制御用歯車１５のカム溝１５ｄに嵌合させてディスク離脱板１６が開かないように規制され、このときにはディスクＤはディスク装着部２のディスク保持円板３の上にマグネット９ａ内蔵のクランパ９によって挟持されディスク保持円板３を回転駆動することによって所定の光信号再生を行わせることができる。
【００６５】
所定の再生が完了した後にディスク取り出しを制御マイコン等に指示すると、ドア開閉用モータ８ａが回転され、その回転が小径プーリ８ｂと大径プーリ８ｄによる減速段と、小径歯車８ｅと大径歯車８ｆによる減速段の２段階に亘る減速で小径歯車８ｇが回転されて開閉制御用歯車１５が時計回り方向（図中に示される矢印ｃ方向）への回転が開始される。
【００６６】
図４はドア部１０を開く動作の開始直後の状態であり開閉制御用歯車１５が時計回り方向に回転されることに伴って部分歯面１５ｂによって第２起立部１２の部分歯面１２ｂが回動されドア部１０の全体が第２支軸７を回転中心にしてドア開動作が開始する。
【００６７】
このときディスク離脱板１６は、自身のレバー軸１６ｅが開閉制御用歯車１５のカム溝１５ｄに侵入している間には閉じたままの状態を保つので、ドア部１０の開動作の最初においては動き出さない。
【００６８】
このとき、ディスクＤがクランパ９に貼り付いた状態の場合にはそのままドア部１０の開動作に合わせてディスクＤが持ち上げられてしまう。
【００６９】
そして、ドア部１０の回動が更に進行すると、図５に示すようにディスク離脱板１６のディスク離脱用当接片１６ｃをディスクＤのレーベル面の外周部に押し付ける動作が始まり、更にドア部１０が開かれることに連動してディスク離脱用当接片１６ｃで更にディスクＤが押されクランパ９に貼り付いていたディスクＤが剥離される。
【００７０】
このとき、レバー軸１６ｅは、カム溝１５ｄの傾斜部分に嵌合されるので、これに伴ってディスク離脱板１６の全体が第２支軸７を回転中心として反時計回り方向に動き始め、これと同時に細幅歯面１５Ｃ１と太幅歯面１５Ｃ２の歯面がディスク離脱板１６の歯車１６ｄとの噛合を開始する。
【００７１】
このように、ドア部１０とディスク離脱板１６の両方に駆動用の歯車が噛み合って共に開動作を行うのであるが、細幅歯面１５Ｃ１と太幅歯面１５Ｃ２によって回動されるドア部１０が跳ね上げられると、ディスクＤは、ディスク離脱用当接片１６ｃによって押圧されるので図６に示すようにディスクＤの自重によってディスク保持円板３上に落下する。
【００７２】
図６に示す状態から更に、ドア開閉用モータ８ａが回転されることによってドア部１０が略４５度の開き角度に開かれるのでディスク保持円板３からディスクＤを取り出す動作を、手指に接触する障害物が無い広い空間でもって容易に行うことができる。
【００７３】
従って、クランパ９とディスク保持円板３の間にディスクＤが所定の接触状態にされている時間が長かった場合に、クランパに緩衝シートが貼り付けられたり、ディスクＤにラベルシートが貼り付けられることに起因して存在する粘着層の糊成分が相手方、即ち、ディスクＤからクランパ９に、またはクランパ９からディスクＤに移行し、ディスク貼り付きを生じた場合であっても、ディスク保持円板３とクランパ９の間に挟持されたディスクＤを離脱する動作に連動させて、クランパ９に貼り付いているディスクＤを強制的に離脱させるディスク引離し手段が構成されることによって、ディスク損傷を発生させたり、構成部材を損傷させてしまうことを解消できる。
【００７４】
特に、個人ユーザーが簡単に印刷されたレーベルシートをディスクのレーベル面に貼り付けて用いられた場合にべとつき気味のバインダーが塗布されている場合に有用である。
【００７５】
次に本発明の第２の実施の形態について図８乃至図１６を用いて説明する。なお、本実施の形態は、ディスクをディスクトレーに載せた状態でディスク保持円板とクランパの間隙内に移動させた後に、ディスク保持の動作を行わせたり、ディスク挟持され正規の回転駆動が可能な状態にあるディスクを、その挟持を解除させた後に、ディスクトレイに載せて外部に排出する動作を行わせることができる形式を有するディスクプレーヤに、本発明によるディスクチャッキング装置を採用した例である。
【００７６】
図８は、本実施の形態によるディスクチャッキング装置を用いたディスクプレーヤの要部を表わす斜視図で、図９は、ディスクプレーヤの要部の詳細を示す分解斜視図で、図１０は、カム板とクランパ保持板とディスクトレーの詳細を示す分解斜視図である。
【００７７】
図８において、本体２１の外観形状は略長方体状に形成され、その水平面に平行する方向に摺動自在なトレー部２０を有し、本体２１の上部を跨ぎ、その長手状の帯板の長手方向の端部のそれぞれを直角に折り曲げ加工された立下り部を有するクランパ保持板１９を有している。
【００７８】
このクランパ保持板１９のそれぞれの立下り部には図１０に詳しく示されるように、クランパ逃がし口１９ｅの中心位置に関して対称位置に配設され、かつ外方に垂直に突出して植設される第１カムピン１９ａ１、１９ａ２の対と、第２カムピン１９ｂ１、１９ｂ２の対を有している。
【００７９】
図８に戻り、トレー部２０の全体形状は、互いに並行する直線状の支持部２０ａ、２０ｂのそれぞれの片端が開放状態とされ、それぞれの他端がディスク直径より僅かに大きな辺長さを有する略正方形状の基部２０ｃによって連結され、この基部２０ｃには規格直径の異なる２種のディスク、即ち、公称８ｃｍディスクと１２ｃｍディスクのいずれかを載置するための段付きの凹部が形成され、また、光学ヘッド部２４（詳細後述）から発せられるレーザ光ビームをディスクに照射するときの逃げ開口部である切欠き部２０ｅが基部２０ｃの中心部から開放端（支持部２０ａと支持部２０ｂ寄り）に向かって形成されている。
【００８０】
トレー部２０の支持部２０ｂの外方には、トレー案内部２１ａ、２１ｃのそれぞれの内壁面によって摺動自在に支持する案内レール２０ｄ１が基部２０ｃの部位まで連設された状態で形成され、支持部２０ａの外方にも、トレー案内部２１ｂ、２１ｄのそれぞれによって摺動自在に支持される案内レール２０ｄ２が形成されている。
【００８１】
本体２１に対して緩衝部材（不図示）を介してフローティング支持されるディスク装着部２２の略中央部にはディスク回転用モータ（不図示）の出力軸に結合されたディスク保持円板２３が回転自在に設けられ、このディスク保持円板２３には、平面部２３ａと案内用傾斜部２３ｂが設けられ、平面部２３ａがディスク取付孔の周囲のクランプ面に密接されると共に、案内用傾斜部２３ｂによってディスク取付孔の軸心の位置決めをなすことができ、このディスク保持円板２３はマグネットによって吸引される磁気特性を有する鉄系合金等の金属材で作られている。
【００８２】
ディスク保持円板２３の側方に位置する光学ヘッド部２４は、ディスクの信号読取りを行うもので、該光学ヘッド部２４の全体は、摺動保持軸２４ａに対してディスクの径方向移動が許容された摺動部に一体形成された直線上に形成される歯面２４ｂが設けられている。
【００８３】
ディスク装着部２２に設けられたスレッドモータの出力軸に結合された出力歯車２４ｃは、ディスク装着部２２に植設された支軸に回転自在に支持される大径歯車２４ｄに噛合され、該大径歯車２４ｄに連設された駆動歯車２４ｅが、光学ヘッド部２４と一体の歯面２４ｂに噛合され、該駆動歯車２４ｅの回転により光学ヘッド部２３の全体がディスク径方向に駆動される。
【００８４】
この光学ヘッド部２４に内蔵される読取りレンズ２４ｆは、ディスク面に光ビームを照射してディスク記録信号を読み取るためのもので、フォーカスコイル（不図示）に印加される信号によって適正な焦点状態に制御されると共に、トラッキングコイル（不図示）に印加される信号によって小規模のトラッキング駆動、即ち、ディスクのトラックに光ビームを適正に追従させたり、数十ないし数百本のトラックジャンプを行わせることができる。
【００８５】
また、光学ヘッド部２４の全体は、出力歯車２４ｃを回転駆動することによって、大径歯車２４ｄ、小径歯車２４ｅが順次に噛合された状態で２段階に亘る減速がなされた状態でディスク径方向に直線駆動されることによって大規模のトラッキング駆動を行うことができ、この大規模トラッキング駆動の動作と、前述の小規模トラッキングの動作を協働して制御されることによってトラッキング駆動を行なうことができる。
【００８６】
本体２１に植設された支軸２５には駆動制御用歯車２６の中心孔２６ａが回転自在に嵌合され、取付ネジ２６ｆによってが抜け止めがなされている。
【００８７】
駆動制御用歯車２６には下部に大径歯面２６ｂが形成され、その上部には該大径歯面２６ｂの直径より一回り大きい径の部分歯面２６ｃが約２７０度の角度範囲に亘って形成され、大径歯面２６ｂの内方にはカム溝２６ｄが形成され、部分歯面２６ｃの上部にカム軸２６ｅが植設されている。
【００８８】
さて、本体２１の下面の略中央には、本体２１の横端から長孔２７ｂと長孔２７ｃのそれぞれが突出する長さの第１アーム２７の中央部に形成された支軸２７ａが取付ネジ２７ｅを用いて固定され、第１アーム２７の全体が支軸２７ａを中心にして所定の角度範囲を回動できるように支持されている。
【００８９】
この長孔２７ｂは、軸線１８ｆ１を介して第２カム板１８の下方に突出する被駆動ピン１８ｆに嵌合され、長孔２７ｃは、軸線１７ｆ１を介して第１カム板１７の下方に突出する被駆動ピン１７ｆに嵌合されていて、第１アーム２７が支軸２７ａを中心にして回動されると第１カム板１７と第２カム板１８を本体２１の側面に沿って互いに異なる方向に摺動させることができる。
【００９０】
第１アーム２７の支軸２７ａと長孔２７ｃの略中間の下面部位に駆動ピン２７ｄが植設され、この駆動ピン２７ｄが第２アーム２８に係合される。
【００９１】
この第２アーム２８は、長手軸方向に形成された２つのガイド孔２８ｂのそれぞれに係合すると支承ネジ軸２８ｃが本体２１の下面に固定されることによって第２アーム２８の捩じれ移動が規制され長手軸方向の直線移動のみが許容される状態で本体２１に保持されると共に、第２アーム２８の先端に植設された係合ピン２８ｄが前述の駆動制御用歯車２６のカム溝２６ｄに係合し、駆動制御用歯車２６が回転されることに伴ってカム溝２６ｄで係合ピン２８ｄが押されることによって第２アーム２８の全体がその長手軸の方向のみに移動させることができる。
【００９２】
第２アーム２８の移動に伴って駆動孔２８ａで第１アーム２７の駆動ピン２７ｄが押され、または引かれることによって第１アーム２７が支軸２７ａを中心にして回動させることができ、これに伴って、長孔２７ｂと長孔２７ｃのそれぞれで第２カム板１８の被駆動ピン１８ｆと第１カム板１７の被駆動ピン１７ｆのそれぞれを本体２１の側面に沿って摺動させることができる。
【００９３】
本体２１の両側面のそれぞれには第１カム板１７と第２カム板１８のそれぞれが位置され、その間にクランパ保持板１９が配置されている
【００９４】
第１カム板１７には、水平方向に形成された第１カム溝１７ａと、その下位に形成されかつ中央に向かって上昇する傾斜方向に形成された第２カム溝１７ｂが形成され、これらに対して所定間隔を保って第２カム溝１７ｂに相似な第３カム溝１７ｃと、第１カム溝１７ａに相似な第４カム溝１７ｄが形成され、該第４カム溝１７ｄの下位にはディスク剥離駆動用の傾斜を有する第５カム溝１７ｅが形成されている。
【００９５】
また、第２カム板１８には、中央に向かって下降する傾斜方向に形成された第１カム溝１８ａが形成され、その下位に水平方向に形成された第１カム溝１８ｂが形成され、所定距離を隔てて第２カム溝１８ｂに相似な水平方向に形成された第３カム溝１８ｃが形成され、第１カム溝１８ａに相似な傾斜方向に形成された第４カム溝１８ｄが形成され、第４カム溝１８ｄの下位にはディスク剥離駆動用の傾斜を有する第５カム溝１８ｅが形成されている。
【００９６】
本体２１の一方の側部には、基面に対して垂直に直線状に穿設された係合溝２１ｇ１と係合溝２１ｈ１が穿設され、他方の側部にも、基面に対して垂直に直線状に穿設された係合溝２１ｇ２と係合溝２１ｈ２が穿設され、前述のクランパ保持板１９の有する一対の第１カムピン１９ａ１と第２カムピン１９ｂ１のそれぞれは、本体２１に穿設された係合溝２１ｇ１と係合溝２１ｈ１に係合され、これと同時にクランパ保持板１９有する一対の第１カムピン１９ａ２と第２カムピン１９ｂ２のそれぞれは、本体２１に穿設された係合溝２１ｇ２と係合溝２１ｈ２に係合されているので、これらの係合によってクランパ保持板１９の全体を水平方向の移動が規制された状態で本体２１に対して上下方向のみに平行移動させることができる。
【００９７】
ディスク装着を正規に行った直後の状態は、図１１と図１２に示すようにクランパ保持板１９の側部に植設された１組の第１カムピン１９ａ１、１９ａ２のそれぞれが第２カム板１８の第４カム溝１８ｄと第１カム板１７の第４カム溝１７ｄのそれぞれの下端に位置されている。
【００９８】
従って、ディスク保持円板２３上のディスクＤは、マグネット９ａによる磁気吸着力によってクランパ９によってディスク保持円板２３の方向に押し付けられた状態で挟持され、ディスク保持円板２３がディスク装着部２２に設けられたディスク回転用モータ（不図示）によって所定の回転がなされ、所定の光ビームによる再生動作が行われるときには、クランパ９の係止爪部９ｂがクランパ保持板１９に設けられたクランパ逃がし口１９ｅの縁壁面には全く接触すること無くディスクＤが回転される。
【００９９】
このときにはディスクＤはディスク装着部２のディスク保持円板３の上にマグネット９ａ内蔵のクランパ９によって挟持されディスク保持円板３を回転駆動することによって所定の光信号再生を行わせることができる。
【０１００】
このときには、第１引剥しリブ２１Ａと第２引剥しリブ２１Ｂの両方はディスクＤの面から離隔した部位にあるためディスク回転には全く影響を与えない状態にある。
【０１０１】
所定の再生が完了した後にディスク取り出しを制御マイコン等に指示すると、開閉駆動部２９の有する駆動用モータ（不図示）が回転されると小径プーリ２９ａが回転されてベルト２９ｂを介して大径プーリ２９ｃが減速回転され、その回転が小歯車２９ｄに伝達される。
【０１０２】
小歯車２９ｄが回転されると大歯車２９ｅが減速回転され、その回転が小歯車２９ｆに伝達される。
【０１０３】
小歯車２９ｆが回転されると、それが駆動制御用歯車２６の大径歯面２６ｂに伝達され駆動制御用歯車２６が時計回り方向に回転され、カム溝２６ｄに係合する第２アーム２８の駆動ピン２８ｄが後方に押し出され、図１３と図１４に示すように第２アーム２８が直進される。
【０１０４】
この直進の動作に伴ない、駆動孔２８ａによって第１アーム２７の駆動ピン２７ｄが押し出されるために第１アーム２７の全体が支軸２７ａを中心にして時計回り方向に回転される。
【０１０５】
第１アーム２７の回転に伴って長孔２７ｃによって第１カム板１７の被駆動ピン１７ｆが後方に押され、これと同時に長孔２７ｂによって第２カム板１８の被駆動ピン１８ｆが前方に引かれる。
【０１０６】
このとき、第１カム板１７は、駆動ピン２１ｅ１、２１ｅ２のそれぞれに係合する第１カム溝１７ａと第４カム溝１７ｄによって水平方向の移動が許容され垂直方向の移動が規制されているため、この動作途中においては、第１カム板１７が後方に平行移動され、第２カム板１８が前方に平行移動される。
【０１０７】
第１カム板１７と第２カム板１８が異なる方向に並行して駆動されると、該第１カム板１７の第５カム溝１７ｅと第５カム溝１８ｅのそれぞれに係合しているカムピン２２ａ１、２２ａ２が当該の第５カム溝１７ｅと第５カム溝１８ｅ溝の傾斜面によって押し下げられるので、ディスク装着部２２の全体が支軸２２ｂを芯にして下方に傾斜された状態になる。
【０１０８】
このように駆動されディスク装着部２２が下方に傾斜される動作と同時に、クランパ保持板１９の第１カムピン１９ａ１と第２カムピン１９ｂ１のそれぞれが、第４カム溝１８ｄと第１カム溝１８ａの傾斜部との係合によって上方に引き上げられ、これと同時にクランパ保持板１９の第１カムピン１９ａ２、第２カムピン１９ｂ２のそれぞれが、第４カム溝１７ｄと第１カム溝１７ａの傾斜部との係合によって上方に引き上げられ、結果的にクランパ保持板１９の全体が水平状態を保持したままで垂直方向に引き上げられる。
【０１０９】
クランパ保持板１９が上方に引き上げられる動作に伴なってクランパ逃がし口１９ｅの縁面を介してクランパ９が引き上げられ、クランパ９とディスク保持円板２３による磁気吸着力が解除され両部材が分離される。
【０１１０】
このとき、ディスクＤとディスク保持円板２３が長時間放置等の理由によって貼り付き状態で無かった場合には、ディスクＤの自重によってディスクトレー２０の上にディスクＤが正規に載せられた状態にある。
【０１１１】
もし、ディスク保持円板２３にディスクＤが貼り付き状態であった場合には、クランパ保持板１９の上方移動に伴なって、クランパ９が上方に移動しこれに追従してディスクＤが上方に移動開始する、この移動が進むと、ディスクＤの端縁部が第１引剥しリブ２１Ａと第２引剥しリブ２１Ｂによって移動阻止状態とされ、クランパ９のみが更に上方に移動させることができ、ディスクＤが強制的に離脱され、自重によって下方に落下されディスクトレー２０の上に正規に載せられた状態にある。
【０１１２】
第１カム板１７と第２カム板１８が異なる方向に並行して更に駆動されると、該第１カム板１７の第５カム溝１７ｅと第５カム溝１８ｅのそれぞれに係合しているカムピン２２ａ１、２２ａ２が当該の第５カム溝１７ｅと第５カム溝１８ｅ溝の傾斜面によって押し下げられその端部に達するので、ディスク装着部２２の全体が支軸２２ｂを芯にして下方に最大に傾斜された状態になる。
【０１１３】
この動作と同時に、クランパ保持板１９の第１カムピン１９ａ１と第２カムピン１９ｂ１のそれぞれが、第４カム溝１８ｄと第１カム溝１８ａの傾斜部との係合によって上方に引き上げられその端部に達し、これと同時にクランパ保持板１９の第１カムピン１９ａ２、第２カムピン１９ｂ２のそれぞれが、第４カム溝１７ｄと第１カム溝１７ａの傾斜部との係合によって上方に引き上げられその端部に達し、結果的にクランパ保持板１９の全体が水平状態を保持したままで垂直方向に最大まで引き上げられる。
【０１１４】
よって、図１５と図１６に示すように、ディスクアンクランプ終了時には、ディスクトレー２０の上にディスクＤが載せられ、クランパ保持板１９に設けられるクランパ９が完全に退避された状態にされ、ディスクトレー２０の下位に位置するディスク装着部２２のディスク保持円板２３が完全に退避された状態にされているので、ディスクトレー２０を駆動することによってディスクＤの取り出しを行うことができる。
【０１１５】
今まで説明した第１及び第２の実施の形態によるディスクチャッキング装置は、ドア開閉式で手動でディスク交換を行ったり、ディクトレーを電動駆動させることによってディスク交換を行ったりしているが本発明のディスクチャッキング装置はそのいずれであっても良く、また、ディスクの態様としては、ＣＤ−ＲＯＭやＤＶＤ−ＲＯＭ等の情報記録済ディスクを再生する例のみならず、ＣＤ−Ｒ、ＣＤ−ＲＷ、ＤＶＤ−Ｒ、ＤＶＤ−Ｒ等々の情報記録可能型のディスクに情報記録を行う機器にも採用することができる。
【０１１６】
【発明の効果】
以上の説明で明らかなように、本発明によるディスクチャッキング装置は、クランパに対するディスク貼り付きを生じた場合であっても、ディスク保持円板とクランパの間に挟持されたディスクを離脱する動作に連動させて、クランパに貼り付いているディスクを強制的に離脱させるディスク引離し手段を設けている。
【０１１７】
従って、本発明によれば、ディスク保持円板とクランパの間に挟み込まれた状態で保持されたディスクに対し、挟み込み状態を解除するときに、ディスクがクランパに貼り付き状態になって残留することがなく確実に離脱させることができるディスクチャッキング装置を提供することができる。
【図面の簡単な説明】
【図１】本発明の第１の実施の形態によるディスクチャッキング装置を採用したディクプレーヤにおける、ドア部とディスク離脱板と開閉制御用歯車を主として説明するための分解斜視図である。
【図２】本発明の第１の実施の形態によるディスクチャッキング装置を採用したディクプレーヤにおける、ディスクプレーヤ本体とディスク装着部を主として説明するための分解斜視図である。
【図３】図１及び図２に示されるディスクプレーヤにおける、ディスクの正規装着時の状態を一部破断して示す概略構成図である。
【図４】図１及び図２に示されるディスクプレーヤにおける、ディスク取り出しの開始時の状態を一部破断して示す概略構成図である。
【図５】図１及び図２に示されるディスクプレーヤにおける、ディスク取り出しの中間時の状態を一部破断して示す概略構成図である。
【図６】図１及び図２に示されるディスクプレーヤにおける、ディスク取り出し終了直前時の状態を一部破断して示す概略構成図である。
【図７】図１及び図２に示されるディスクプレーヤにおける、ディスク取り出し終了時の状態を一部破断して示す概略構成図である。
【図８】本発明の第２の実施の形態によるディスクチャッキング装置を採用したディクプレーヤの要部外観を示す斜視図である。
【図９】図８中に示される本体、駆動制御用歯車、第１アーム及び第２アームを主として説明するための分解斜視図である。
【図１０】図８中に示される第１カム板、第２カム板、クランパ保持板及びディスクトレーを主として説明するための分解斜視図である。
【図１１】図８乃至図１０中に示されるディスクチャッキング装置における、ディスク正規装着時の状態を一部破断して正面部を示す概略構成図である。
【図１２】図８乃至図１０中に示されるディスクチャッキング装置における、ディスク正規装着時の状態を一部破断して側面部を示す概略構成図である。
【図１３】図８乃至図１０中に示されるディスクチャッキング装置における、ディスク離脱開始時の状態を一部破断して正面部を示す概略構成図である。
【図１４】図８乃至図１０中に示されるディスクチャッキング装置における、ディスク離脱開始時の状態を一部破断して側面部を示す概略構成図である。
【図１５】図８乃至図１０中に示されるディスクチャッキング装置における、ディスク離脱完了の状態を一部破断して正面部を示す概略構成図である。
【図１６】図８乃至図１０中に示されるディスクチャッキング装置における、ディスク離脱完了の状態を一部破断して側面部を示す概略構成図である。
【図１７】従来のディスクチャッキング装置を用いたディスクプレーヤのディスクプレーヤ本体、ディスク装着部及びドア部を主として説明するための分解斜視図である。
【図１８】図１７に示されるディスクプレーヤにおける、ディスク取り出しの終了時の状態を一部破断して示す概略構成図である。
【図１９】図１７に示されるディスクプレーヤにおける、ディスクの正規装着時の状態を一部破断して示す概略構成図である。
【符号の説明】
１  ディスクプレーヤ本体
２  ディスク装着部
３  ディスク保持円板
４  光学ヘッド部
５  緩衝部材
６  第１支軸
７  第２支軸
８  第３支軸
９  クランパ
１０  ドア部
１１  第１起立部
１２  第２起立部
１３  クランプホルダ板
１４  開閉駆動歯車
１５  開閉制御用歯車
１６  ディスク離脱板
１７  第１カム板
１８  第２カム板
１９  クランパ保持板
２０  ディスクトレー
２１  本体
２２  ディスク装着部
２３  ディスク保持円板
２４  光学ヘッド部
２５  支軸
２６  駆動制御用歯車
２７  第１アーム
２８  第２アーム
２９  開閉駆動部
【図１】
2004362690.tif 000003
【図２】
2004362690.tif 000004
【図３】
2004362690.tif 000005
【図４】
2004362690.tif 000006
【図５】
2004362690.tif 000007
【図６】
2004362690.tif 000008
【図７】
2004362690.tif 000009
【図８】
2004362690.tif 000010
【図９】
2004362690.tif 000011
【図１０】
2004362690.tif 000012
【図１１】
2004362690.tif 000013
【図１２】
2004362690.tif 000014
【図１３】
2004362690.tif 000015
【図１４】
2004362690.tif 000016
【図１５】
2004362690.tif 000017
【図１６】
2004362690.tif 000018
【図１７】
2004362690.tif 000019
【図１８】
2004362690.tif 000020
【図１９】
2004362690.tif 000021